(57)【要約】【課題】  画像が存在する媒体の面を効率的に読み取ることができる画像処理装置、画像処理プログラム、及び画像形成装置を提供する。【解決手段】  本発明は、画像処理手段に関する。そして、本発明の画像処理装置は、媒体の第１の面を読み取った読取データに対して、画像が存在するか否かを判定する画像有無判定手段と、前記画像有無判定手段の判定結果に応じて、前記媒体の第２の面を読み取るか否かを制御する読取制御手段とを有することを特徴とする。【選択図】      図１
2017118264.tif 000002
【特許請求の範囲】
【請求項１】
媒体の第１の面を読み取った読取データに対して、画像が存在するか否かを判定する画像有無判定手段と、
前記画像有無判定手段の判定結果に応じて、前記媒体の第２の面を読み取るか否かを制御する読取制御手段と
を有することを特徴とする画像処理装置。
【請求項２】
前記読取制御手段は、前記画像有無判定手段により前記媒体の第１の面に画像が存在すると判定された場合には、前記媒体の第２の面を読み取らないよう制御することを特徴とする請求項１に記載の画像処理装置。
【請求項３】
前記媒体の反転を実施して前記媒体の両面を読み取る両面読み取り手段をさらに有し、
前記読取制御手段は、前記画像有無判定手段により、
前記媒体の第１の面に画像が存在すると判定された場合には、前記媒体の第２の面を読み取らず、そのまま媒体を排出し、
前記媒体の第１の面に画像が存在しないと判定された場合には、前記両面読み取り手段により、反転して前記前記媒体の第２の面を読み取り、前記媒体を排出する制御を行う
ことを特徴とする請求項１又は２に記載の画像処理装置。
【請求項４】
前記画像有無判定手段は、前記読取データの輝度を含む色空間値の各要素のヒストグラム解析を行い、
前記画像有無判定手段は、前記色空間値の各要素に対応する前記ヒストグラム解析の解析結果について、
全ての前記解析結果にピークがーか所のみ現れる場合には、前記読取画像データに画像が存在しないと判定し、
いずれかの前記解析結果にピークが複数箇所現れる場合には、前記読取画像データに画像が存在すると判定する
ことを特徴とする請求項１〜３のいずれかに記載の画像処理装置。
【請求項５】
コンピュータを、
媒体の第１の面を読み取った読取データに対して、画像が存在するか否かを判定する画像有無判定手段と、
前記画像有無判定手段の判定結果に応じて、前記媒体の第２の面を読み取るか否かを制御する読取制御手段と
して機能させることを特徴とする画像処理プログラム。
【請求項６】
媒体の面を読み取った読取データを出力する画像処理装置と、前記読取データに基づき画像を形成する画像形成部とを有する画像形成装置であって、
前記画像処理装置として請求項１〜４のいずれかに記載の画像処理装置を適用したことを特徴とする画像形成装置。
【発明の詳細な説明】
【技術分野】
【０００１】
本発明は、画像処理装置、画像処理プログラム、及び画像形成装置に関し、例えば、搬送する媒体の表裏面を反転し、媒体両面を読み取る画像処理装置、画像処理プログラム、及び画像形成装置に適用し得る。
【背景技術】
【０００２】
従来、画像処理装置は、原稿の両面を読み取る機能を有するものが存在する（例えば、特許文献１）。原稿の両面を読み取る機能は、例えば、ユーザが、原稿の両面を印刷したい場合に画像処理装置が利用する技術であって、原稿の両面に何らかの絵（文字、模様、色彩等）が記載されているときに使用することを前提とする。
【先行技術文献】
【特許文献】
【０００３】
【特許文献１】特開２０１１−９３６６５号公報
【発明の概要】
【発明が解決しようとする課題】
【０００４】
ところで、ユーザは、原稿の片面のみに絵が記載された複数の原稿を画像処理装置にセットして、原稿の両面を読み取っても良い。この使用方法は、全ての原稿の絵が存在する面を表面として揃えて原稿をセットすることができなくても、必ず裏面を読み取るため、絵のある面の読み取り漏れを回避できる。
【０００５】
しかしながら、この場合、片面のみに絵（画像）が存在する原稿であっても、必ず逆側の面（白紙面）を読み取るため、その分だけ、画像処理装置は、無駄な処理を実行することにもなる。
【０００６】
そのため、画像が存在する媒体の面を効率的に読み取ることができる画像処理装置、画像処理プログラム、及び画像形成装置が望まれている。
【課題を解決するための手段】
【０００７】
第１の本発明は、（１）媒体の第１の面を読み取った読取データに対して、画像が存在するか否かを判定する画像有無判定手段と、（２）前記画像有無判定手段の判定結果に応じて、前記媒体の第２の面を読み取るか否かを制御する読取制御手段とを有することを特徴とする。
【０００８】
第２の本発明の画像処理プログラムは、コンピュータを、（１）媒体の第１の面を読み取った読取データに対して、画像が存在するか否かを判定する画像有無判定手段と、（２）前記画像有無判定手段の判定結果に応じて、前記媒体の第２の面を読み取るか否かを制御する読取制御手段として機能させることを特徴とする。
【０００９】
第３の本発明は、媒体の面を読み取った読取データを出力する画像処理装置と、前記読取データに基づき画像を形成する画像形成部とを有する画像形成装置であって、前記画像処理装置として第１の本発明の画像処理装置を適用したことを特徴とする。
【発明の効果】
【００１０】
本発明によれば、画像が存在する媒体の面を効率的に読み取ることができる。
【図面の簡単な説明】
【００１１】
【図１】実施形態に係るＭＦＰの制御系の構成を示すブロック図である。
【図２】実施形態に係るＭＦＰの外観の構成を示す外観構成図である。
【図３】実施形態に係るＡＤＦの内部構造を示す断面図である。
【図４】実施形態に係るＡＤＦの内部の搬送路（その１）を示す説明図である。
【図５】実施形態に係るＡＤＦの内部の搬送路（その２）を示す説明図である。
【図６】実施形態に係るＭＦＰ１００の特徴動作（読み取り処理）を示すフローチャートである。
【図７】実施形態に係る画像処理部のヒストグラム解析結果の例（その１）を示す説明図である。
【図８】実施形態に係る画像処理部のヒストグラム解析結果の例（その２）を示す説明図である。
【発明を実施するための形態】
【００１２】
（Ａ）主たる実施形態
以下、本発明による画像処理装置、画像処理プログラム、及び画像形成装置の実施形態を、図面を参照しながら詳述する。なお、この実施形態では、本発明の画像処理装置、画像処理プログラム、及び画像形成装置をＭＦＰ（Ｍｕｌｔｉ−Ｆｕｎｃｔｉｏｎ  Ｐｒｉｎｔｅｒ）に適用した例について説明する。
【００１３】
（Ａ−１）実施形態の構成
図２は、ＭＦＰ１００の外観の構成を示す外観構成図である。
【００１４】
図２において、ＭＦＰ１００は、ハードウェア的に大別して媒体に画像を印刷する処理等を行う画像形成部としてのプリンタユニット１と原稿の読込処理等を行うスキャナユニット２とを有している。
【００１５】
スキャナユニット２は、操作パネル部３と、ＡＤＦ（Ａｕｔｏ  Ｄｏｃｕｍｅｎｔ  Ｆｅｅｄｅｒ）４と、ＦＢ（Ｆｌａｔｂｅｄ）５とを有している。
【００１６】
操作パネル部３は、ＭＦＰ１００と、ＭＦＰ１００を使用する一般ユーザ（以下、単に「ユーザ」と呼ぶ。）との間のインタフェースである。例えば、操作パネル部３は、ディスプレイとキーの組み合わせ、又は、タッチパネルディスプレイ等のようにユーザへの出力を行い、ユーザからの入力を受け付けられるものが備わっている。
【００１７】
両面読み取り手段としてのＡＤＦ４は、複数の原稿の画像を連続して読み取る際に原稿を給紙するための自動原稿送り部である。
【００１８】
ＦＢ５は、高精細に原稿の画像を読み取る際に用いるものである。ＦＢ５は、原稿を載置するためのガラス面（台）を構成に含み、原稿をガラス台に固定する機能を有している。
【００１９】
図１は、実施形態に係るＭＦＰの制御系の構成を示すブロック図である。
【００２０】
図１において、ＭＦＰ１００は、制御部１０１と、画像読取部１０２と、画像処理部１０３と、操作パネル制御部１０４と、印刷部１０５とを有している。なお、図１に示すＭＦＰ１００の制御系の各構成は、一部、又は全てについてソフトウェア的に構成しても良い。
【００２１】
制御部１０１は、図示しないＣＰＵ（Ｃｅｎｔｒａｌ  Ｐｒｏｃｅｓｓｉｎｇ  Ｕｎｉｔ）等から構成され、各部を統括的に制御し、当該ＭＦＰ１００の動作を制御する。
【００２２】
画像読取部１０２は、操作パネル部３を介したユーザの操作に応じて、ＡＤＦ４又はＦＢ５にセットされた原稿を読み取る制御を行う。画像読取部１０２は、読み取った画像データを画像処理部１０３に供給する。なお、画像読取部１０２は、読取制御手段の一例である。
【００２３】
画像処理部１０３は、読み取った画像データに対して、プリンタユニット１の出力形式に合わせて所定の画像処理を施し、例えば、ＰＤＦ（Ｐｏｒｔａｂｌｅ  Ｄｏｃｕｍｅｎｔ  Ｆｏｒｍａｔ）、ＴＩＦＦ（Ｔａｇｇｅｄ  Ｉｍａｇｅ  Ｆｉｌｅ  Ｆｏｒｍａｔ）、ＪＰＥＧ（Ｊｏｉｎｔ  Ｐｈｏｔｏｇｒａｐｈｉｃ  Ｅｘｐｅｒｔｓ  Ｇｒｏｕｐ）等、所定のフォーマットの画像データを作成する。また、画像処理部１０３は、画像データに対して原稿中の文字等をくっきりだすためにエッジ強調や、所定の手法に従った二値化等の処理を行う。さらに、画像処理部１０３は、画像データに対してヒストグラム解析を行い、原稿が白紙か否か判定する。なお、画像処理部１０３は、画像有無判定手段の一例である。
【００２４】
操作パネル制御部１０４は、操作パネル部３にて入力された各種情報を受け付け、ＭＦＰ１００の状態を操作パネル部３に表示させる制御を行う。
【００２５】
印刷部１０５は、画像処理部１０３で処理が施された画像データ（印刷データ）に基づき、印刷用紙に印刷する処理を行う。
【００２６】
次に、ＡＤＦ４の内部について、より詳細な説明を行う。
【００２７】
図３は、ＡＤＦの内部構造を示す断面図である。図３において、ＡＤＦ４は、ピックアップローラ１１と、第一反転ローラ１２と、スキャンローラ１３と、第二反転ローラ１４と、第一セパレータ１５と、第二セパレータ１６と、第一反転口１７と、第二反転口１８と、原稿排出口１９と、ＣＩＳ（Ｃｏｎｔａｃｔ  Ｉｍａｇｅ  Ｓｅｎｓｏｒ）センサ２０とを有している。
【００２８】
ピックアップローラ１１は、セットされた原稿１０を一枚ずつ取り出し内部へ給紙するものである。
【００２９】
第一セパレータ１５は、原稿１０の表面を読み取るための通常搬送路（上方）と、原稿１０の裏面を読み取るための反転搬送路（下方）との分岐部に配置され、搬送される原稿１０を上下のいずれかの搬送路へ誘導するものである。
【００３０】
第一反転ローラ１２は、原稿１０が第一セパレータ１５から誘導される上下のいずれの搬送路を通過しても通る箇所（合流地点）に配置され、２個一対のローラで原稿を挟持搬送する。ただし、原稿１０が、第一セパレータ１５の下方の搬送路を通り、第一反転ローラ１２を通過する場合には、第一反転ローラ１２では、原稿１０が初期状態から裏返った状態となって通過される。
【００３１】
第一反転口１７は、第一反転ローラ１２が原稿１０を挟持した状態で一旦停止する箇所である。なお、第一反転口１７は、停止後に原稿１０の搬送方向が入れ替わる箇所でもある。
【００３２】
スキャンローラ１３は、ＣＩＳ２０で原稿１０を読み取る直前に配置され、２個一対のローラで原稿を挟持搬送する。
【００３３】
ＣＩＳセンサ２０は、原稿１０の片面の画像を読み取るコンタクトイメージセンサ（密着イメージセンサ）である。なお、ＡＤＦ４は、原稿１０の画像を読み取るセンサとしての機能を有していれば、ＣＩＳセンサ２０の代わりにＣＣＣＤ（Ｃｈａｒｇｅ  Ｃｏｕｐｌｅｄ  Ｄｅｖｉｃｅ）等の種々様々なセンサを適用することができる。
【００３４】
第二セパレータ１６は、ＣＩＳセンサ２０で読み取った原稿を排出する排出搬送路（下方）と原稿１０を反転して再度ＣＩＳセンサ２０にて読み取る再反転搬送路（上方）との分岐部に配置され、搬送される原稿１０を上下のいずれかの搬送路へ誘導するものである。
【００３５】
第二反転ローラ１４は、原稿１０が第二セパレータ１６から誘導される上方の搬送路を通過して通る箇所に配置され、２個一対のローラで原稿を挟持搬送する。
【００３６】
第二反転口１８は、第二反転ローラ１４が原稿１０を挟持した状態で一旦停止する箇所である。なお、第二反転口１８は、停止後に原稿１０の搬送方向が入れ替わる箇所でもある。また、第二反転口１８は、後述する表裏不揃い読取モードにおいて、裏面データに絵が存在すると判定される場合には、原稿１０を排出する箇所でもある。
【００３７】
原稿排出口１９は、原稿１０がＡＤＦ４内部から外部へ排出される箇所である。
【００３８】
次に、ＭＦＰ１００（ＡＤＦ４）の特徴部分である「表裏不揃い読取モード」について説明を行う。通常、ユーザは、複数の原稿１０を一度に片面印刷する場合に、ＡＤＦ４の所定箇所（図３では、原稿１０がセットされている箇所）に、印刷する面（絵のある面）を表面として原稿１０を揃え、印刷を開始する。片面印刷は、全ての原稿が印刷する面として表面として揃っている場合には特に問題は生じない。しかしながら、印刷する面（絵のある面）が逆（裏面）となり、一部の原稿が印刷されないことは、ユーザのミスにより当然起こり得ることである。表裏不揃い読取モードは、このような人為的なミスを補完する機能であって、印刷する面（絵のある面）が逆（裏面）となったとしても、絵のある面（裏面）を正常に読み取って印刷するモードである。また、表裏不揃い読取モードでは、読み取った原稿は、絵のある面を全て揃えて排出される。
【００３９】
ここで、既存の原稿両面読み取りモードでは、原稿１０は、ＡＤＦ４内で、反転され、反転した面（裏面）がＣＩＳセンサ２０により読み取られる。そして、原稿１０は、ＡＤＦ４内で、再度反転され、再反転面（表面）がＣＩＳセンサ２０により読み取られる。
【００４０】
表裏不揃い読取モードは、上記の原稿両面読み取りモードを利用して処理が実行される。即ち、表裏不揃い読取モードでは、ＣＩＳ２０により裏面が読み取られた後に、読み取った画像データに対して、ヒストグラム解析を行う。このヒストグラム解析では、原稿１０の裏面に絵が描かれているかの判断を、裏面データの一様性（一面が同じ色で構成されているか）を基にして行う。
【００４１】
画像処理部１０３は、ヒストグラム解析を行った結果、裏面データが一様でない場合には、裏面に何らかの絵が描かれている（表面は読み取って出力する必要のない面）と判断する。そして、原稿１０は、第二反転口１８から、２回目の反転を実施せず（表面も読み取らず）に排出される。
【００４２】
一方、画像処理部１０３は、裏面データが一様な場合には、裏面には何も絵が描かれていない（表面は読み取って出力する必要がある面）と判断して、不要な裏面データを破棄する。そして、原稿１０は、既存の原稿両面読み取りモードと同様に、表面が読み取られることになる。
【００４３】
この表裏不揃い読取モードの設定は、ユーザにより印刷する度に操作パネル部３を介して設定（ＯＦＦ／ＯＮ）しても良いし、片面印刷の場合には当該モードが自動的に適用されるように予め設定しても良い。なお、表裏不揃い読取モードにおけるＡＤＦ４内の原稿１０の搬送については、後述する図５において説明を行う。また、画像処理部１０３が行うヒストグラム解析を含む表裏不揃い読取モードの詳しい動作については、後述する動作の項で改めて説明を行う。
【００４４】
次に、ＡＤＦ４の内部にて、原稿１０の片面を読み取る場合の搬送路（表裏不揃い読取モードの設定がＯＦＦ）（図４）について説明を行う。図４(Ａ)〜(Ｃ)の各々では、図３で示したＡＤＦ４が図示（符号は省略して図示）されている。また、図４(Ａ)〜(Ｃ)の各々では、原稿１０の搬送状態に応じて、搬送路が太字で強調して図示されている。また、三角形（▲）上部先端Ｓは、原稿１０の表面方向を示し、ピックアップローラ１１に給紙されるときの原稿１０の先頭端部を示す。
【００４５】
まず、原稿１０は、画像読取部１０２により片面読取処理が開始されると、ピックアップローラ１１によりＡＤＦ４内に給紙され、第一セパレータ１５の上方を通過する形で搬送される（図４(Ａ)）。
【００４６】
次に、原稿１０は、第一反転ローラ１２とスキャンローラ１３を通過する形で搬送され、ＣＩＳ２０にて、原稿１０の片面（表面）の読取処理が行われる（図４(Ｂ)）。
【００４７】
そして、読み取られた原稿１０は、第二セパレータ１６の下方を通過して、原稿排出口１９から排出（排紙）される（図４(Ｃ)）。
【００４８】
次に、ＡＤＦ４の内部にて、原稿１０の両面を読み取る場合の搬送路（表裏不揃い読取モードの設定がＯＮ）（図５）について説明を行う。図５(Ａ)〜(Ｇ)の各々では、図３で示したＡＤＦ４が図示（符号は省略して図示）されている。また、図５(Ａ)〜(Ｇ)の各々では、原稿１０の搬送状態に応じて、搬送路が太字で強調して図示されている。なお、図５(Ａ)〜(Ｇ)の各々における三角形（▲）上部先端Ｓは、原稿１０の表面方向を示し、ピックアップローラ１１に給紙されるときの原稿１０の先頭端部を示す。また、三角形（△）上部先端Ｅは、ピックアップローラ１１に給紙されるときの原稿１０の後端部を示す。
【００４９】
まず、原稿１０は、画像読取部１０２により両面読取処理（表裏不揃い読取モードの設定が有効）が開始されると、ピックアップローラ１１によりＡＤＦ４内に給紙され、第一セパレータ１５の下方を通過する形で搬送される（図５(Ａ)）。
【００５０】
次に、原稿１０の一端側（三角形(▲)部分）は、第一反転ローラ１２を通過し、第一反転口１７にて、原稿１０の先端がＡＤＦ４の外へ露出するような形で搬送され、原稿１０が第一反転ローラ１２に挟持された状態で一旦停止する（図５(Ｂ)）。停止後、画像読取部１０２は、逆向きに原稿１０を送り出す（第一反転）ように制御する。
【００５１】
次に、原稿１０は、第一反転ローラ１２と、スキャンローラ１３を通過する形で搬送され、ＣＩＳ２０にて、原稿１０の片面（裏面）の読取処理が行われる（図５(Ｃ)）。
【００５２】
読取後、原稿１０の他端側（三角形(△)部分）は、第二セパレータ１６の上方と、第二反転ローラ１４を通過する形で搬送され、第二反転口１８にて、ＡＤＦ４の外へ露出するような形で搬送され、原稿１０が第二反転ローラ１４に挟持された状態で一旦停止する（図５(Ｄ)）。
【００５３】
この位置（タイミング）で、画像処理部１０３は、裏面データのヒストグラム解析を行い、一様性を基に原稿裏面に絵があるか否かの判定を行う。原稿裏面に絵があると判定された場合には、原稿１０は、そのまま第二反転口１８から排出される（図５（Ｇ））。一方、原稿裏面に絵がないと判定された場合には、画像読取部１０２は、表面を読み取るために逆向きに原稿１０を送り出す（第二反転）ように制御する。つまり、原稿１０は、図５（Ｄ）で示す通り、搬送方向Ｂから搬送方向Ａへ搬送する方向が変更される。
【００５４】
次に、搬送方向Ａへ搬送される原稿１０は、第一セパレータ１５の上方と、第一反転ローラ１２とスキャンローラ１３を通過する形で搬送され、ＣＩＳ２０にて、原稿１０の片面（表面）の読取処理が行われる（図５(Ｅ)）。
【００５５】
そして、読み取られた原稿１０は、第二セパレータ１６の下方を通過して、原稿排出口１９から排出（排紙）される（図５(Ｆ)）。
【００５６】
（Ａ−２）実施形態の動作
次に、以上のような構成を有するこの実施形態のＭＦＰ１００の動作を、図面を参照しながら説明する。
【００５７】
図６は、ＭＦＰ１００の特徴動作（読み取り処理）を示すフローチャートである。なお、図６の処理を実行する前に、原稿１０は、ＡＤＦ４の所定箇所（図３では、原稿１０がセットされている箇所）に、複数枚積み重さなっているものとする。また、各原稿１０の表面、又は裏面には、何らかの絵が記載されているもとし、もう一方の面には、何も絵がないものとする。
【００５８】
ＭＦＰ１００（画像読取部１０２）は、操作パネル部３において表裏不揃い読取モードの設定（ＯＮ／ＯＦＦ）を受け付けて、原稿の読み取り処理を開始する（Ｓ１０１）。
【００５９】
画像読取部１０２は、ユーザにより設定された表裏不揃い読取モードの判定を行う（Ｓ１０２）。画像読取部１０２は、判定した結果、表裏不揃い読取モードが「ＯＦＦ」の場合には、後述するステップＳ１１０に処理を移行し、「ＯＮ」の場合には、次のステップＳ１０３の処理を実行する。
【００６０】
画像読取部１０２は、ＡＤＦ４内で、原稿１０の反転を行い、原稿１０の裏面を読み取るよう制御を行う（Ｓ１０３）。読取後、画像読取部１０２は、原稿１０を、第二反転口１８にて一時停止するよう制御を行う。なお、ここまでのＡＤＦ４内の原稿１０の搬送路は、先述の図５（Ａ）〜（Ｄ）に該当する。
【００６１】
画像処理部１０３は、先述のステップＳ１０３の処理で読み取った原稿１０の裏面の読取画像データに対してヒストグラム解析を実行する（Ｓ１０４）。
【００６２】
画像処理部１０３は、原稿１０の裏面の読取画像データが一様な色で構成されているか否かの判定を行う（Ｓ１０５）。例えば、画像処理部１０３は、ＣＩＳ２０による読取がモノクロであれば輝度から、カラーであれば輝度、レッド（Ｒ）、グリーン（Ｇ）、ブルー（Ｂ）の４つの要素を基にして判定を行う。一様な色で構成されているか否かの判定は、輝度、（Ｒ）、（Ｇ）、（Ｂ）の全ての要素のヒストグラムについてピークが１か所にしか現れないか否かで行う。例えば、図７は、ピーク検出が１か所である例を示している。この場合、画像処理部１０３は、裏面の読取画像データについて、文字、写真、模様等の存在しない一面が同じ色で構成されている（つまり、絵がない）と判断する。一方、画像処理部１０３は、輝度、（Ｒ）、（Ｇ）、（Ｂ）のいずれかのヒストグラムについて、ピークが一か所ではない（ピークが複数存在）場合には、裏面の読取画像データに何らかの絵が描かれていると判断する。例えば、図８は、ピーク検出が複数（２箇所）存在する例を示している。
【００６３】
画像読取部１０２は、画像処理部１０３によって、原稿１０の裏面の読取画像データが一様な色で構成されていないと判定された場合には、後述するステップＳ１０８に処理を移行し、一様な色で構成されていると判定された場合には、次のステップＳ１０６の処理を実行する。
【００６４】
画像読取部１０２は、裏面の読取画像データが一様な色で構成されていて出力する必要の無いデータであるため、当該データを破棄する（Ｓ１０６）。
【００６５】
画像読取部１０２は、原稿１０の表面の読み取り処理を行うため、原稿１０の反転動作が行い、表面の読取処理をするよう制御を行う（Ｓ１０７）。読取後、画像読取部１０２は、原稿１０を原稿排出口１９から排出するよう制御を行う。なお、ここまでのＡＤＦ４内の原稿１０の搬送路は、先述の図５（Ｄ）〜（Ｆ）に該当する。また、画像読取部１０２は、表面の読取画像データに対し、利用者が設定した画像処理条件に応じた画像処理を施し、プリンタユニット１へ当該データを出力する制御を行う。
【００６６】
画像読取部１０２は、先述のステップＳ１０５の処理において、原稿１０の裏面の読取画像データが一様な色で構成されていないと判定された場合には、裏面の読取画像データに対し、利用者が設定した画像処理条件に応じた画像処理を施し、プリンタユニット１へ当該データを出力する制御を行う（Ｓ１０８）。
【００６７】
画像読取部１０２は、ＡＤＦ４内から原稿１０を排出する制御を行う（Ｓ１０９）。ここまでのＡＤＦ４内の原稿１０の搬送路は、先述の図５（Ｄ）、（Ｇ）に該当する。この場合、画像読取部１０２は、原稿１０の表面を読み取る必要が無いため、原稿１０の表面を読み取るルート（図５(Ｅ)、(Ｆ)）を省略することできる。
【００６８】
画像読取部１０２は、先述のステップＳ１０９の処理において、表裏不揃い読取モードが「ＯＦＦ」の場合には、ＡＤＦ４上に載置された原稿１０の片面読取処理を実行するよう制御を行う（Ｓ１１０）。この場合のＡＤＦ４内の原稿１０の搬送路は、先述の図４(Ａ)〜(Ｃ)に該当する。また、画像読取部１０２は、表面の読取画像データに対し、利用者が設定した画像処理条件に応じた画像処理を施し、プリンタユニット１へ当該データを出力する制御を行う。
【００６９】
以上により、ＭＦＰ１００（画像読取部１０２）は、原稿１０の絵のある面を効率よく読み取る制御を行うことができる。
【００７０】
また、ＭＦＰ１００は、読み取った複数の原稿１０の読取画像データのプレビュー画像を、操作パネル部３上に表示しても良い。ユーザは、プレビュー画像を参照することにより、出力結果（読取画像データ）の上下がさかさまになっていることを確認することができる。さらに、ＭＦＰ１００は、ユーザからの指定により、出力結果の上下を反転して変更できるようにしても良い。こうすることで、ＭＦＰ１００は、原稿１０の表裏だけでなく先端・後端が不揃いとなっている原稿１０がセットされている状態の出力結果を、内部に記憶したり、又は外部（例えば、サーバ）に記憶することができる。
【００７１】
（Ａ−３）実施形態の効果
この実施形態によれば、以下のような効果を奏することができる。
【００７２】
ＭＦＰ１００は、表裏不揃い読取モードモードが有効（ＯＮ)になっている設定で、原稿１０の読取を開始すると、まず、裏面の読取を行い、当該裏面データのヒストグラム解析を行う。そして、ＭＦＰ１００は、この解析結果により、裏面データに絵が存在すると判定された場合には、原稿１０の表面の読取処理を行わず（表面には絵が存在しないと判定）に原稿１０を排出する。これにより、ＭＦＰ１００は、無駄な表面の読み取り処理（２回目）を省略することができる。
【００７３】
また、ＭＦＰ１００は、第１読取（裏面読取）で絵を検出した場合には反転動作を１回、第１読取動作で絵を検出しなかった場合には反転動作を２回とすることにより、表裏不揃いの原稿１０がセットされて読取を行った場合であっても、排出後には表裏が揃った状態の原稿１０を得ることができる。
【００７４】
（Ｂ）他の実施形態
本発明は、上記の実施形態に限定されるものではなく、以下に例示するような変形実施形態も挙げることができる。
【００７５】
（Ｂ−１）上記の実施形態では、本発明の画像処理装置をＭＦＰ１００に適用する例について説明したが、これに限らず、種々様々な装置に適用することができる（例えば、スキャナやＦａｘ等の画像読取装置）。
【００７６】
（Ｂ−２）上記の実施形態では、ＭＦＰ１００（ＣＩＳセンサ２０）が読み取る媒体について、紙媒体の原稿１０を例に挙げて説明したが、これに限らず、種々様々な媒体を用いても良い（例えば、ラベル紙やステッカー）。
【符号の説明】
【００７７】
１…プリンタユニット、２…スキャナユニット、３…操作パネル部、１０…原稿、１１…ピックアップローラ、１２…第一反転ローラ、１３…スキャンローラ、１４…第二反転ローラ、１５…第一セパレータ、１６…第二セパレータ、１７…第一反転口、１８…第二反転口、１９…原稿排出口、２０…ＣＩＳセンサ、１００…ＭＦＰ、１０１…制御部、１０２…画像読取部、１０３…画像処理部、１０４…操作パネル制御部、１０５…印刷部。
【図１】
2017118264.tif 000003
【図２】
2017118264.tif 000004
【図３】
2017118264.tif 000005
【図４】
2017118264.tif 000006
【図５】
2017118264.tif 000007
【図６】
2017118264.tif 000008
【図７】
2017118264.tif 000009
【図８】
2017118264.tif 000010